(57)【要約】【課題】  レーザ光伝送用のレーザ光伝送管を備えたレーザ着火式エンジンにおいて、該レーザ光伝送管内に設置されるミラーの組み込みあるいは取り外し時におけるレーザ光伝送管内への埃や油煙の侵入を回避して、ミラーの汚れおよびこれに伴うレーザ光強度の低下を防止し得るレーザ光伝送管を備えたレーザ着火式エンジンを提供する。【解決手段】  レーザ着火式エンジンにおいて、レーザ光を反射するミラーが収納されたミラーケースの開閉窓を開閉するシャッターを有して、レーザ光伝送管に着脱自在なミラー取付ユニットと、レーザ光伝送管内に開口するレーザ光導入口を有してミラー取付ユニットが装着するミラー装着部とを備え、ミラー取付ユニットのミラー装着部への取付状態においてはシャッターが開閉窓を開放しレーザ光導入口を通してミラーにレーザ光が入射可能にされ、ミラー取付ユニットの取外し状態ではシャッターが開閉窓を閉じてミラーケース内を閉鎖空間に形成せしめるように構成されてなることを特徴とする。【選択図】    図１
2006200420.tif 000002
【特許請求の範囲】
【請求項１】
レーザ発振装置からのレーザ光をレーザ光伝送管を通して各シリンダの燃焼室内に導入し、該燃焼室内のターゲットに照射して発生させたプラズマにより該燃焼室内のガスに着火するように構成されたレーザ着火式エンジンにおいて、前記レーザ光を反射するミラーが収納されたミラーケース、及び該ミラーケースの開閉窓を開閉するシャッターを有して、前記レーザ光伝送管に着脱自在に設けられたミラー取付ユニットと、前記レーザ光伝送管に設けられるとともに該レーザ光伝送管内に開口するレーザ光導入口を有して前記ミラー取付ユニットが装着可能にされたミラー装着部とを備え、前記ミラー取付ユニットの前記ミラー装着部への取付状態においては前記シャッターが前記開閉窓を開放し前記レーザ光導入口を通して前記ミラーに前記レーザ光伝送管内からのレーザ光が入射可能にされ、前記ミラー取付ユニットの前記レーザ光伝送管からの取外し状態では前記シャッターが前記開閉窓を閉じて前記ミラーケース内を閉鎖空間に形成せしめるように構成されてなることを特徴とするレーザ光伝送管を備えたレーザ着火式エンジン。
【請求項２】
前記ミラー装着部には、前記レーザ光導入口を開閉する導入口開閉部材を備えて、前記ミラー取付ユニットの前記レーザ光伝送管への取付状態では該ミラー取付ユニットにより前記導入口開閉部材が前記レーザ光導入口を開放し、前記ミラー取付ユニットの前記レーザ光伝送管からの取外し状態では前記導入口開閉部材が前記レーザ光導入口を閉鎖するように構成されてなることを特徴とする請求項１記載のレーザ光伝送管を備えたレーザ着火式エンジン。
【請求項３】
前記ミラー取付ユニットは該ミラー取付ユニットの前記レーザ光伝送管からの取外し状態においては前記シャッターに弾力を付与して前記開閉窓を閉鎖せしめるシャッター用弾性部材を備えるとともに、前記ミラー装着部は前記ミラー取付ユニットの前記レーザ光伝送管からの取外し状態においては前記導入口開閉部材に弾力を付与して前記レーザ光導入口を閉鎖せしめる導入口用弾性部材を備え、前記ミラー取付ユニットの前記レーザ光伝送管への取付状態においては前記ミラー取付ユニットにより前記シャッター用弾性部材を押圧して前記シャッターを開放せしめるとともに前記導入口用弾性部材を押圧して前記導入口開閉部材を開放せしめるように構成されてなることを特徴とする請求項２記載のレーザ光伝送管を備えたレーザ着火式エンジン。
【請求項４】
レーザ発振装置からのレーザ光をレーザ光伝送管を通して各シリンダの燃焼室内に導入し、該燃焼室内のターゲットに照射して発生させたプラズマにより該燃焼室内のガスに着火するように構成されたレーザ着火式エンジンにおけるミラー組立方法において、前記レーザ光を反射するミラーが収納されたミラーケース及び該ミラーケースに設けられた開閉窓を開閉するシャッターを組み込んでなり前記シャッターにより前記ミラーの収納空間が閉鎖されたミラー取付ユニットを準備し、該ミラー取付ユニットをレーザ光伝送管内に開口するレーザ光導入口を有する前記レーザ光伝送管のミラー装着部に取付けて、前記シャッターにより開閉窓を開放せしめるとともに前記レーザ光導入口を開放して前記ミラーに前記レーザ光伝送管内からのレーザ光を入射せしめることを特徴とするレーザ光伝送管を備えたレーザ着火式エンジンにおけるミラー組立方法。
【発明の詳細な説明】
【技術分野】
【０００１】
本発明は、主としてガスエンジン等の予混合燃焼レーザ着火式エンジンに適用され、レーザ発振装置からのレーザ光を、レーザ光伝送管を通して各シリンダの燃焼室内に導入し、該燃焼室内のターゲットに照射して発生させたプラズマにより該燃焼室内のガスに着火するように構成されたレーザ光伝送管を備えたレーザ着火式エンジン及びレーザ光伝送用ミラーの組立方法に関する。
【背景技術】
【０００２】
予混合希薄燃焼ガスエンジンにおいては、副室に装着した点火プラグによって該副室内の濃混合比ガスに点火して着火し、該着火火炎を主燃焼室内の希薄混合気中に噴出せしめて主燃焼させる点火プラグ着火方式、あるいは副室に装着したパイロット燃料噴射弁によって該副室内の混合ガス中にパイロット燃料を噴射して着火し、該着火火炎を主燃焼室内の希薄混合気中に噴出せしめて主燃焼させるパイロット燃料噴射着火方式に代えて、レーザ光を燃焼室に設けられたターゲットに照射してプラズマを発生させ、燃焼室内のガスを着火燃焼させるレーザ着火方式を用いて、希薄混合ガスの着火燃焼を促進するとともに、ＮＯｘの発生量を抑制する技術が提案されている。
【０００３】
かかるレーザ着火方式を備えた予混合希薄燃焼ガスエンジンとして、特許文献１（特開平９−４２１３８号公報）の技術が提案されている。
特許文献１の技術においては、レーザ発振装置とピストン表面上に設けた１個のターゲットとの間のレーザ光の光路内にエンジン回転によってレーザ光を常時ターゲット上に照射できるように焦点可変装置を装備している。
また、特許文献２（特開２００４−２１１７５０号公報）には、レーザ発振装置から発振されたレーザ光を、レーザ光伝送管を通して集光レンズに伝送し、該集光レンズで集光したレーザ光をターゲットに照射するようにした摺動部材のレーザ加工装置が提供されている。
【０００４】
【特許文献１】特開平９−４２１３８号公報
【特許文献２】特開２００４−２１１７５０号公報
【発明の開示】
【発明が解決しようとする課題】
【０００５】
レーザ着火式エンジンにおいては、レーザ発振装置から発振されたレーザ光をエンジンのシリンダヘッド内に設置された集光レンズに伝送する手段として、光ファイバー内を通す方式と、レーザ光伝送管内を通す方式とがある。そのうちレーザ光伝送管内を通す方式の場合は、レーザ発振装置からのレーザ光を反射するミラーを前記レーザ光伝送管内に設置しているため、該レーザ光伝送管内に外部からの埃や油煙が侵入して該ミラーに付着するのを防止する必要がある。
かかるレーザ光伝送管内への埃や油煙の侵入は、前記ミラーを該レーザ光伝送管内に組み込みあるいは該レーザ光伝送管内から取り外す際に発生し易い。
【０００６】
しかしながら、前記特許文献１（特開平９−４２１３８号公報）においては、レーザ発振装置とピストン表面上のターゲットとの間の光路内に、エンジン回転によってレーザ光を常時ターゲット上に照射できるように焦点可変装置を装備しているにとどまり、また特許文献２（特開２００４−２１１７５０号公報）においては、レーザ発振装置からのレーザ光をレーザ光伝送管を通して集光レンズに伝送するように構成しているにとどまり、前記のようなレーザ光伝送管内への埃や油煙の侵入を防止する手段については触れられてはいない。
【０００７】
本発明はかかる従来技術の課題に鑑み、レーザ光伝送用のレーザ光伝送管を備えたレーザ着火式エンジンにおいて、該レーザ光伝送管内に設置されるミラーの組み込みあるいは取外し時におけるレーザ光伝送管内への埃や油煙の侵入を回避して、ミラーの汚れおよびこれに伴うレーザ光強度の低下を防止し得るレーザ光伝送管を備えたレーザ着火式エンジンを提供することを目的とする。
【課題を解決するための手段】
【０００８】
本発明はかかる目的を達成するもので、レーザ発振装置からのレーザ光をレーザ光伝送管を通して各シリンダの燃焼室内に導入し、該燃焼室内のターゲットに照射して発生させたプラズマにより該燃焼室内のガスに着火するように構成されたレーザ着火式エンジンにおいて、前記レーザ光を反射するミラーが収納されたミラーケース、及び該ミラーケースの開閉窓を開閉するシャッターを有して、前記レーザ光伝送管に着脱自在に設けられたミラー取付ユニットと、前記レーザ光伝送管に設けられるとともに該レーザ光伝送管内に開口するレーザ光導入口を有して前記ミラー取付ユニットが装着可能にされたミラー装着部とを備え、前記ミラー取付ユニットの前記ミラー装着部への取付状態においては前記シャッターが前記開閉窓を開放して前記レーザ光導入口を通して前記ミラーに前記レーザ光伝送管内からのレーザ光が入射可能にされ、前記ミラー取付ユニットの前記レーザ光伝送管からの取外し状態では前記シャッターが前記開閉窓を閉じて前記ミラーケース内を閉鎖空間に形成せしめるように構成されてなることを特徴とする。
【０００９】
また、前記レーザ光伝送管を備えたレーザ着火式エンジンにおいて、該レーザ光伝送管内に装着されるミラーの組立方法の発明は、前記レーザ光を反射するミラーが収納されたミラーケース及び該ミラーケースに設けられた開閉窓を開閉するシャッターを組み込んでなり前記シャッターにより前記ミラーの収納空間が閉鎖されたミラー取付ユニットを準備し、該ミラー取付ユニットをレーザ光伝送管内に開口するレーザ光導入口を有する前記レーザ光伝送管のミラー装着部に取付けて、前記シャッターにより開閉窓を開放せしめるとともに前記レーザ光導入口を開放して前記ミラーに前記レーザ光伝送管内からのレーザ光を入射せしめることを特徴とする。
【００１０】
かかる発明において、好ましくは次のように構成する。
即ち、前記ミラー装着部には、前記レーザ光導入口を開閉する導入口開閉部材を備えて、前記ミラー取付ユニットの前記レーザ光伝送管への取付状態では該ミラー取付ユニットにより前記導入口開閉部材が前記レーザ光導入口を開放し、前記ミラー取付ユニットの前記レーザ光伝送管からの取外し状態では前記導入口開閉部材が前記レーザ光導入口を閉鎖するように構成されてなる。
【００１１】
かかる発明によれば、レーザ光を反射するミラーが収納され開閉窓を有するミラーケースに該開閉窓を開閉するシャッターを装着してなるミラー取付ユニットを、取外し状態では該シャッターにより前記開閉窓を閉じることにより、該ミラーケース内のミラーを外部の埃や油煙から遮断する一方、レーザ光伝送管に設けられたミラー装着部のレーザ光導入口を導入口開閉部材で閉鎖することにより、レーザ光伝送管内を該レーザ光伝送管外の埃や油煙から遮断する。
【００１２】
また、前記のようにミラーを組み付けたミラー取付ユニットをレーザ光伝送管のミラー装着部への装着時には、前記開閉窓が前記レーザ光伝送管内に挿入された状態で前記シャッターによって該開閉窓を開放するとともに、ミラー装着部の導入口開閉部材が前記レーザ光導入口を開放することにより、該レーザ光導入口からミラーにレーザ光を入射可能となる。
また、前記ミラー取付ユニットの前記レーザ光伝送管内への挿入時には、前記シャッターによって前記ミラーケースの内部空間と外部との間を遮断しているので、前記ミラー取付ユニットのミラー装着部への装着時にミラーが外部の埃や油煙に晒されるのを回避できる。
【００１３】
また、かかる発明において、好ましくは、前記ミラー取付ユニットは該ミラー取付ユニットの前記レーザ光伝送管からの取外し状態においては前記シャッターに弾力を付与して前記開閉窓を閉鎖せしめるシャッター用弾性部材を備えるとともに、前記ミラー装着部は前記ミラー取付ユニットの前記レーザ光伝送管からの取外し状態においては前記導入口開閉部材に弾力を付与して前記レーザ光導入口を閉鎖せしめる導入口用弾性部材を備え、前記ミラー取付ユニットの前記レーザ光伝送管への取付状態においては前記ミラー取付ユットにより前記シャッター用弾性部材を押圧して前記シャッターを開放せしめるとともに前記導入口用弾性部材を押圧して前記導入口開閉部材を開放せしめるように構成されてなる。
【００１４】
このように構成すれば、ミラー取付ユニットの取外し状態においてはシャッター用弾性部材の弾力により前記開閉窓を閉鎖せしめてミラー取付ユニット内と外部とを自動的に遮断するとともに、導入口用弾性部材の弾力によりレーザ光導入口を閉鎖せしめてレーザ光伝送管内と外部とを自動的に遮断し、さらにミラー取付ユニットのレーザ光伝送管への取付時には前記ミラー取付ユニットをレーザ光伝送管に取付けるのみで、前記シャッター用弾性部材を押圧しシャッターを開いて開閉窓を開放できる。
これにより、ミラー取付ユニットをレーザ光伝送管のミラー装着部に着脱するのみで、ミラーをきわめて容易に、かつ外部からの埃や油煙の侵入を確実に回避してレーザ光伝送管内に組み込みあるいは取り外しできる。
【発明の効果】
【００１５】
本発明によれば、ミラーが収納され開閉窓を有するミラーケースと該開閉窓を開閉するシャッターとを備えたミラー取付ユニットを、取外し状態では該シャッターにより開閉窓を閉じ、レーザ光伝送管に設けられたミラー装着部のレーザ光導入口を導入口開閉部材で閉鎖することにより、ミラー取付ユニット内のミラー及びレーザ光伝送管内を、外部の埃や油煙から遮断でき、また、前記ミラー取付ユニットをレーザ光伝送管への装着時には開閉窓がレーザ光伝送管内に挿入された状態でシャッターによって該開閉窓を開放するとともに前記導入口開閉部材によりレーザ光導入口を開放することにより、ミラーにレーザ光を入射可能となる。
さらに前記ミラー取付ユニットのレーザ光伝送管内への挿入時には前記シャッターによって前記ミラーケースの内部空間と外部との間を遮断しているので、ミラー取付ユニットのミラー装着部への装着時にミラーが外部の埃や油煙に晒されるのを回避できる。
これにより、ミラーの汚れおよびこれに伴うレーザ光強度の低下を防止できる。
【００１６】
また本発明によれば、シャッター用弾性部材の弾力及び導入口用弾性部材の弾力を利用してミラー取付ユニット内と外部及びレーザ光伝送管内と外部とを自動的に遮断でき、かつミラー取付ユニットをレーザ光伝送管に取付けるのみで、シャッター用弾性部材を押圧しシャッターを開いて開閉窓を開放できるので、ミラー取付ユニットをレーザ光伝送管のミラー装着部に着脱するのみで、ミラーをきわめて容易に、かつ外部からの埃や油煙の侵入を確実に回避してレーザ光伝送管内に組み込みあるいは取り外しできる。
【発明を実施するための最良の形態】
【００１７】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１８】
図２は、本発明が適用される単室レーザ着火式エンジンの要部断面を含む全体構成図である。
図２において、１２はガスエンジン（以下エンジンという）のシリンダヘッド、１０はピストン、１１はシリンダライナ、１３は該シリンダヘッド１２、ピストン１０及びシリンダライナ１１により区画形成された燃焼室、２２はコネクチングロッド、２３はクランク軸である。
また１５は吸気ポート、１４は該吸気ポート１５を開閉する吸気弁、１７は排気ポート、１６は該排気ポート１７を開閉する排気弁である。  
【００１９】
１はレーザ光（レーザパルス）０２を発振するレーザ発振装置、２は前記レーザ発振装置１から発振されるレーザ光０２のパルス間隔、レーザ光エネルギー（レーザ光の強さ）等を制御するレーザ制御装置である。６は前記シリンダヘッド１２内に設置されたレーザ光の集光レンズ、９は該集光レンズ６を支持する支持部材である。１８は前記集光レンズ６側と燃焼室１３側とを遮蔽するレーザ光導入ガラス体で、耐熱性を有する透明ガラスからなる。
７は前記レーザ発振装置１からのレーザ光０２を前記集光レンズ６側に伝送するためのレーザ光伝送管である。
【００２０】
かかる構成からなるレーザ着火式ガスエンジンの運転時において、回転数検出器５１からのエンジン回転数の検出値、負荷検出器５２からのエンジン負荷の検出値、クランク軸２３直結の回転軸２３ａ及びタイミング円板５３からなるクランク角センサからのクランク角の検出値は、コントローラ３に入力される。
そして該コントローラ３においては、前記エンジン回転数の検出値、エンジン負荷の検出値、及びクランク角の検出値に基づき、前記レーザ制御装置２にレーザ発振装置１からのレーザ光０２の発振タイミングの制御信号を出力する。
【００２１】
そして前記レーザ制御装置２は、前記コントローラ３からのレーザ光０２の発振タイミングの制御信号に基づき、前記レーザ発振装置１からレーザ光０２を発振せしめる。該レーザ光０２は前記レーザ光伝送管７を通して伝送され、シリンダヘッド１２内を通る先端部から集光レンズ６に入って集光され、レーザ光導入ガラス体３５を透過して、燃焼室１３内のターゲット５に照射される。かかるレーザ光０２の照射により燃焼室１３内の混合ガス中に高温のプラズマを発生させ、該ガスを着火燃焼せしめる。
【００２２】
本発明は、前記のような、レーザ光を伝送するレーザ光伝送管７をそなえたレーザ着火式エンジンにおけるレーザ光伝送管７へのミラーの設置手段に係るものである。
図１は、本発明の実施例に係るレーザ着火式エンジンにおけるレーザ光伝送管へのミラー取付装置の側面図で、（Ａ）はミラー取付ユニットの取付前（取外し時）、（Ｂ）は取付後を示す。
図１において、７はレーザ光伝送管、７０は該レーザ光伝送管７内に設けられたミラー装着部、６０はミラー取付ユニットである。
前記ミラー取付ユニット６０は、次のように構成されている。
６２はミラーケースで、前記レーザ発振装置１（図２参照）からのレーザ光０２を反射するミラー６１が内部空間６２ａに収納されている。６３は前記コントローラ３（図２参照）からの制御信号を受けて前記ミラー６１を揺動駆動するミラー駆動装置である。
【００２３】
６６は前記ミラーケース６２の上部に開口された開閉窓、６４は該開閉窓６６を開閉するシャッターである。該シャッター６４は前記ミラーケース６２の上部外周に相対摺動可能に嵌挿され、該ミラーケース６２の外周面に沿って往復動することにより、前記開閉窓６６を開閉するようになっている。６５は前記ミラーケース６２の外側に設けられて前記シャッター６４の下部とミラーケース６２との間に介装されたシャッター用のばねで、図１（Ａ）のように、該ばね６５が伸長したときシャッター６４が開閉窓６６を閉鎖するようになっている。
【００２４】
また、前記ミラー装着部７０は次のように構成されている。
６９はレーザ光導入ケースで、前記レーザ光伝送管７内に突設されてレーザ光０２の入射方向にレーザ光導入口６８が開口されている。６７は前記レーザ光導入ケース６９内に往復摺動可能に嵌合された導入口開閉部材、７２は該導入口開閉部材６７と前記レーザ光導入ケース６９の上部内面との間に介装されたばねで、前記導入口開閉部材６７は前記ばね７２が伸長した状態で前記レーザ光導入口６８を閉鎖するようになっている。
【００２５】
かかる実施例において、前記ミラー６１を、レーザ光伝送管７内への設置前つまり前記ミラー取付ユニット６０の取外し状態では、図１（Ａ）のように、前記ばね６５が伸長して前記シャッター６４を上方に押し上げ前記開閉窓６６を閉鎖せしめている。
これにより、前記ミラーケース６２の内部空間６２ａは閉鎖空間に形成され、外部からの埃や油煙の該内部空間６２ａ内への侵入が阻止され、かかる埃や油煙による前記ミラー６３の汚染を回避できる。
【００２６】
かかるミラー取付ユニット６０の閉鎖状態で、図１（Ａ）のＺ矢印のように該ミラー取付ユニット６０を前記ミラー装着部７０のレーザ光導入ケース６９内に押し込む。
図１（Ｂ）に示す、前記ミラー取付ユニット６０のミラー装着部７０への取付状態においては、前記にようにしてミラー取付ユニット６０をレーザ光導入ケース６９内に押し込むことにより、前記ミラーケース６２の上面によって、前記導入口開閉部材６７を介して前記ばね７２を圧縮し、該導入口開閉部材６７を上方に押し上げる。これにより、前記レーザ光導入口６８が開放される。
【００２７】
このとき、前記ミラーケース６２の上方への移動によって前記シャッター６４の上端面が前記レーザ光伝送管７の外面に当たって、該シャッター６４を介してミラー取付ユニット６０側のばね６５を圧縮することにより、該ミラーケース６２の開閉窓６６の位置が前記レーザ光導入口６８の位置に一致し、前記レーザ光伝送管７内と前記ミラー取付ユニット６０の内部空間６２ａが連通されるとともに、前記ミラー６１が前記レーザ光導入口６８と同一高さに位置し、前記レーザ光０２の該ミラー６１への入射が可能となる。
かかるミラー取付ユニット６０の取付位置で、ミラーケース６２の下面に掛けられたストッパー７１によって、該ミラー取付ユニット６０をレーザ光伝送管７にロックする。
【００２８】
図３は、前記実施例に係るミラー取付ユニット６０及びミラー６１を、レーザ光伝送管７内にシリンダ毎に設けられたシリンダ用ミラーに適用した例を示す構成図である。
図３において、１はレーザ光０２を発振するレーザ発振装置、７は前記レーザ発振装置１からのレーザ光０２を、各シリンダの燃焼室１３内に伝送するためのレーザ光伝送管である。５はピストン１０の前記燃焼室１３に臨む上面に固定されたターゲットである。
６１は前記実施例におけるミラーで、図示しないエンジン本体に揺動可能に取り付けられている。６０は前記実施例におけるミラー取付ユニットで、前記ミラー６１は該ミラー取付ユニット６０を介して前記レーザ光伝送管７内にシリンダ毎に設けられている。
３０は揺動ミラーで、前記レーザ発振装置１と前記複数個のシリンダ用ミラー３２との
間の光路に設けられ、ミラー揺動装置３１によって図のＮ１方向及びＮ２方向に揺動可能
となっており、該揺動ミラー３０で反射したレーザ光０２が前記ミラー６１に入光するようになっている。
【００２９】
かかる実施例によれば、レーザ光０２を反射するミラー６１が収納され開閉窓６６を有するミラーケース６２に該開閉窓６６の開閉用のシャッター６４を装着してなるミラー取付ユニット６０を、図１（Ａ）に示す該ミラー取付ユニット６０の取外し状態では該シャッター６４によって開閉窓６６を閉じることにより、ミラーケース６２の内部空間６２ａを閉鎖空間にして、ミラー６１を外部の埃や油煙から遮断するとともに、レーザ光伝送管７側のミラー装着部７０のレーザ光導入口６８を導入口開閉部材６７で閉鎖することにより、レーザ光伝送管７内を該レーザ光伝送管７外の埃や油煙から遮断することができる。
また、前記のようにミラー６１を組み付けたミラー取付ユニット６０の、レーザ光伝送管７のミラー装着部７０への装着時には、該ミラー取付ユニット６０が前記レーザ光伝送管７内に挿入された状態で前記シャッター６４によって前記開閉窓６６を開放するとともに、ミラー装着部７０の導入口開閉部材６７が前記レーザ光導入口６８を開放することにより、該レーザ光導入口６８からミラー６１にレーザ光０２を入射可能とすることができる。
また、ミラー取付ユニット６０の前記レーザ光伝送管７内への挿入時には、前記シャッター６４によって前記ミラーケース６２の内部空間６２ａと外部との間を遮断しているので、前記ミラー取付ユニット６０のミラー装着部７０への装着時にミラー６１が外部の埃や油煙に晒されるのを回避できる。
【００３０】
また、前記ミラー取付ユニット６０の取外し状態においてはシャッター用のばね６５の弾力により前記開閉窓６６を閉鎖せしめてミラー取付ユニット６０の内部空間６２ａと外部とを自動的に遮断するとともに、導入口用のばね７２の弾力により導入口開閉部材６７を介してレーザ光導入口６８を閉鎖せしめて、レーザ光伝送管７内と外部とを自動的に遮断し、さらにミラー取付ユニット６０のレーザ光伝送７管への取付時には該ミラー取付ユニット６０をレーザ光伝送管７に取り付けるのみで、前記シャッター用のばね６５を押圧し前記シャッター６４を開いて前記開閉窓６６を開放できる。
これにより、ミラー取付ユニット６０をレーザ光伝送管７のミラー装着部７０に着脱するのみで、ミラー６１をきわめて容易に、かつ外部からの埃や油煙の侵入を確実に回避してレーザ光伝送管７内に組み込みあるいは取り外しすることができる。
【産業上の利用可能性】
【００３１】
本発明によれば、レーザ光伝送用のレーザ光伝送管を備えたレーザ着火式エンジンにおいて、該レーザ光伝送管内に設置されるミラーの組み込みあるいは取外し時におけるレーザ光伝送管内への埃や油煙の侵入を回避できて、ミラーの汚れおよびこれに伴うレーザ光強度の低下を防止したレーザ光伝送管を備えたレーザ着火式エンジンを提供できる。  
【図面の簡単な説明】
【００３２】
【図１】本発明の実施例に係るレーザ着火式エンジンにおけるレーザ光伝送管へのミラー取付装置の側面図で、（Ａ）はミラー取付ユニットの取付前（取外し時）、（Ｂ）は取付後を示す。
【図２】本発明が適用される単室レーザ着火式エンジンの要部断面を含む全体構成図である。
【図３】前記実施例に係るミラー取付ユニット及びミラーのレーザ光伝送管への取付例を示す構成図である。
【符号の説明】
【００３３】
１    レーザ発振装置
２    レーザ制御装置
０２    レーザ光
３    コントローラ
５    ターゲット
７    レーザ光伝送管
６０    ミラー取付ユニット
６１    ミラー
６２    ミラーケース
６２ａ    内部空間
６３    ミラー駆動装置
６４    シャッター
６５    ばね
６６    開閉窓
６７    導入口開閉部材
６８    レーザ光導入口
６９    レーザ光導入ケース
７０    ミラー装着部
７２    ばね
【図１】
2006200420.tif 000003
【図２】
2006200420.tif 000004
【図３】
2006200420.tif 000005